(57)【要約】【課題】  効率よく既設推進管を縁切り及び撤去すること。【解決手段】  互いに隣接する推進管Ａｉ，Ａｉ＋１の一方Ａｉには第１係合手段２を係合し、他方Ａｉ＋１には第２係合手段３を係合し、それらの係合手段２，３の間には油圧ジャッキ４を介装した。この油圧ジャッキ４を駆動して、係合手段２，３が離れる方向に駆動力を作用させると、第１係合手段２が係合されている推進管Ａｉ、又は第２係合手段３が係合されている推進管Ａｉ＋１の少なくともいずれかが軸心Ｂに沿って移動し、その推進管の縁切りがなされる。第１係合手段２、第２係合手段３及び油圧ジャッキ４は、縁切り作業をする箇所の近傍に配置されているだけなので、それらをセットする作業が簡単となり、効率良く既設推進管を縁切り及び撤去することができる。【選択図】  図１
2006169795.tif 000002
【特許請求の範囲】
【請求項１】
連設された複数の推進管の少なくとも１つの推進管の内周面に係合される第１係合手段と、
該第１係合手段が係合された推進管以外の少なくとも１つの推進管の内周面に係合される第２係合手段と、
これらの係合手段の近傍に配置されると共にそれらの係合手段に連結されていて、これらの係合手段を推進管の軸心に沿って相対移動するように駆動する駆動手段と、
を設けて構成された既設推進管撤去装置。
【請求項２】
前記駆動手段は、前記第１係合手段と前記第２係合手段との間に配置されて、それらの係合手段を互いに離間する方向に駆動する、
ことを特徴とする請求項１に記載の既設推進管撤去装置。
【請求項３】
撤去しようとする推進管列の一端開口を閉塞するように隔壁を配置し、
該隔壁には、地盤側に固定された少なくとも１本の長尺状の部材を係止し、
前記駆動手段を駆動したときの反力を前記隔壁及び前記長尺状の部材にて取らせる、
ことを特徴とする請求項１又は２に記載の既設推進管撤去装置。
【請求項４】
複数の推進管が直列に接続された状態で地盤中に敷設されてなる推進管列を撤去する既設推進管撤去工法であって、
該既設推進管撤去工法は、
撤去すべき前記推進管列の両側の少なくとも一方の側に立坑を構築し、
少なくとも１つの推進管に第１係合手段を係合させ、該第１係合手段が係合された推進管以外の少なくとも１つの推進管に第２係合手段を係合させ、これらの係合手段を、これらの係合手段の間に配置した駆動手段により推進管の軸心に沿って相対移動させて、前記第１係合手段又は前記第２係合手段の係合された推進管と周囲地山との間の縁切りを行い、
前記推進管列につき所定箇所の縁切りが行われたところで、縁切りされた推進管を一体的に前記立抗の側に移動させ、該立抗側で、順次押し出されてくる推進管を取り外すようにして、
構成した既設推進管撤去工法。
【請求項５】
前記縁切りされた推進管の前記立抗の側への一体的な移動は、該立抗の側からの牽引動作により行う、
ことを特徴とする請求項４に記載の既設推進管撤去工法。
【発明の詳細な説明】
【技術分野】
【０００１】
本発明は、既設の推進管を撤去したり、撤去後埋め戻ししたりする際に使用するに好適な、既設推進管撤去装置及び該装置を用いた既設推進管撤去工法に関する。
【背景技術】
【０００２】
最近、都市部では、下水道などの老朽化した推進管を撤去し埋め戻したり、撤去後に新しい推進管を敷設更新したりすることが検討されている。
【０００３】
推進管の撤去工法としては、撤去すべき推進管列の最先端に、シールドを設け、該シールドを立坑側から牽引することにより、推進管を引っ張り出す方法が知られている（例えば、特許文献１）。
【０００４】
また、縁切り用のリングを、推進管列の外側を覆う形で、撤去すべき推進管列の全長に渡り推進させて、地山と推進管列との縁切りを行った後、推進管列を引き抜き撤去する方法も知られている（例えば、特許文献２）。
【０００５】
更に、ワイヤソーを、撤去すべき推進管列外周部の全長に渡り設置し、該ワイヤソーにより、地山と推進管列との縁切りを行った後、推進管列を引き抜き撤去する方法も知られている（例えば、特許文献３）。
【０００６】
また、別の方法としては、例えば円筒状の係合部材をアンカーボルト等により推進管の内壁に固定し、立抗には牽引ジャッキを設け、これらの係合部材と牽引ジャッキとを長尺状の牽引部材（具体的には、２〜３ｍのＰＣ鋼棒をカップラーにより複数繋げたもの）により連結しておいて、牽引ジャッキの駆動力を、前記牽引部材及び前記係合部材を介して前記推進管に伝えるようにしたものがある（特許文献４参照）。
【０００７】
【特許文献１】特開２００１−２６２９９８号公報
【特許文献２】特開２００１−２６２９７６号公報
【特許文献３】特開２００１−２６２９７５号公報
【特許文献４】特願２００３−０６８６６０号（の公開公報）
【発明の開示】
【発明が解決しようとする課題】
【０００８】
しかし、いまだ、確立した技術が無く、簡単な構成で、効率よく既設推進管を撤去することの出来る工法及び装置の開発が、急がれている。
【０００９】
なお、上記特許文献４に記載された工法を実際に実施しようとするとＰＣ鋼棒を一条だけでなく複数条設ける必要があるが、推進管の管径が小さい場合にはそれらのＰＣ鋼棒が邪魔になるために、作業者が推進管内部に入って作業状態を直接視認することはできず、テレビカメラや変位計によらなければ確認できないという問題があった。また、推進管列を撤去する場合には複数箇所の縁切り作業を行う必要があるが、その場合には、推進管の中に入っていってＰＣ鋼棒を係合部材に取り付け、推進管の外に出てから牽引ジャッキを駆動するという一連の作業を繰り返して行わなければならず、その作業が繁雑になるという問題があった。
【００１０】
本発明は、上記した事情に鑑み、既設推進管を撤去することの出来る装置及び該装置を用いた既設推進管撤去工法を提供することを目的とするものである。
【課題を解決するための手段】
【００１１】
請求項１に係る発明は、図１に例示するように、連設された複数の推進管の少なくとも１つの推進管（Ａｉ）の内周面に係合される第１係合手段（２）と、
該第１係合手段（２）が係合された推進管以外の少なくとも１つの推進管（Ａｉ＋１）の内周面に係合される第２係合手段（３）と、
これらの係合手段（２，３）の近傍に配置されると共にそれらの係合手段（２，３）に連結されていて、これらの係合手段（２，３）を推進管（Ａｉ，Ａｉ＋１）の軸心（Ｂ）に沿って相対移動するように駆動する駆動手段（４）と、
を設けて構成された既設推進管撤去装置（１）についてのものである。
【００１２】
請求項２に係る発明は、請求項１に係る発明において、前記駆動手段（４）は、前記第１係合手段（２）と前記第２係合手段（３）との間に配置されて、それらの係合手段（２，３）を互いに離間する方向に駆動する、ことを特徴とする。
【００１３】
請求項３に係る発明は、請求項１又は２に係る発明において、図５に示すように、撤去しようとする推進管列（Ａ）の一端開口を閉塞するように隔壁（７）を配置し、
該隔壁（７）には、地盤側に固定された少なくとも１本の長尺状の部材（Ｃ）を係止し、
前記駆動手段（４）を駆動したときの反力を前記隔壁（７）及び前記長尺状の部材（Ｃ）にて取らせる、ことを特徴とする。
【００１４】
請求項４に係る発明は、複数の推進管（例えば、図５の符号Ａｉ−１，Ａｉ，Ａｉ＋１，Ａｉ＋２参照）が直列に接続された状態で地盤中に敷設されてなる推進管列（Ａ）を撤去する既設推進管撤去工法であって、
該既設推進管撤去工法は、
撤去すべき前記推進管列の両側の少なくとも一方の側に立坑（Ｇ）を構築し、
少なくとも１つの推進管（Ａｉ）に第１係合手段（２）を係合させ、該第１係合手段（２）が係合された推進管以外の少なくとも１つの推進管（Ａｉ＋１）に第２係合手段（３）を係合させ、これらの係合手段（２，３）を、これらの係合手段の間に配置した駆動手段（４）により推進管の軸心（Ｂ）に沿って相対移動させて、前記第１係合手段（２）又は前記第２係合手段（３）の係合された推進管（Ａｉ又はＡｉ＋１）と周囲地山との間の縁切りを行い、
前記推進管列につき所定箇所の縁切りが行われたところで、縁切りされた推進管を一体的に前記立抗（Ｇ）の側に移動させ、該立抗側で、順次押し出されてくる推進管を取り外すようにして構成した既設推進管撤去工法についてのものである。
【００１５】
請求項５に係る発明は、請求項４に係る発明において、前記縁切りされた推進管の前記立抗の側への一体的な移動は、該立抗の側からの牽引動作により行う、ことを特徴とする。
【００１６】
なお、括弧内の符号等は、図面と対照するためのものであり、これは、発明の理解を容易にするための便宜的なものであって、特許請求の範囲に何等影響を及ぼすものではない。以下の発明の効果についても同様である。
【発明の効果】
【００１７】
請求項１及び４，５に係る発明によれば、比較的簡単な構成でありながら、既設推進管（Ａｉ又はＡｉ＋１）と周囲地山との間を効率良く縁切りし、及び／又は推進管列を撤去することができる。また、これらの発明によれば、撤去装置（１）は作業箇所だけに配置されているため、作業中でも作業者が推進管内部に入っていって、その作業の様子を目視で直接確認することができる（詳細は後述する）。さらに、これらの発明によれば、作業箇所毎に駆動手段（４）が配置されていて、駆動手段（４）を共通して使用する必要が無く、複数の撤去装置（１）を作業箇所にそれぞれ配置するだけの作業で足り、その分、作業が簡単になるという効果を奏する（詳細は後述する）。
【００１８】
請求項２に係る発明によれば、前記駆動手段（４）は、前記第１係合手段（２）と前記第２係合手段（３）との間に配置されているため、推進管列の開口部から入って来た作業者は、前記駆動手段（４）に妨げられることなく係合手段（２又は３）に近づいて作業を詳細に観察することができる。
【００１９】
請求項３に係る発明によれば、所定の推進管（Ａｉ）を確実に移動させることができる。
【発明を実施するための最良の形態】
【００２０】
以下、本発明を実施するための最良の形態について、図１〜３及び図５に沿って説明する。
【００２１】
図１は、本発明に係る既設推進管撤去装置の全体構成を示す縦断面図であり、図２は、本発明に係る既設推進管撤去装置が駆動されたときの状態を示す縦断面図である。また、図３は、本発明に係る既設推進管撤去装置の構造を示す横断面図であり、図５は、牽引ジャッキやＰＣ鋼棒がセットされた状態を示す縦断面図である。
【００２２】
本発明に係る既設推進管撤去装置は、既設のトンネルを埋め戻したり、古い推進管を新しい推進管と交換したり等する際に、地中に埋設されている既設の推進管（例えば、図１の符号Ａｉ参照）を非開削で軸心Ｂに沿って移動させて縁切り及び／又は撤去するために使用されるものである（以下、このようにトンネルを埋め戻すために既設の推進管を撤去する現場、古い推進管を新しい推進管に交換するために既設の推進管を撤去する現場、及びその他の目的のために既設の推進管を撤去する現場を、本明細書では“推進管撤去現場”と称することとする）。なお、この推進管撤去現場においては、所定長さ（例えば、２．５ｍ程度）の複数の円筒状推進管Ａ１，…，Ａｉ，Ａｉ＋１，…が直列に接続されて推進管列Ａが構成されている。また、この推進管撤去現場においては、撤去しようとする推進管列の区間の前端と後端とに向けては地表から立坑が掘られていて（図５には、符号Ｇを付して、１つのみ示す）、立坑の壁面には、推進管列の端部が開口された状態となっている。
【００２３】
以下、本発明に係る既設推進管撤去装置について詳述する。
【００２４】
本発明に係る既設推進管撤去装置１は、図１に示すように、連設された複数の推進管の少なくとも１つの推進管（符号Ａｉ参照）の内周面に係合される第１係合手段２と、該第１係合手段２が係合された推進管以外の少なくとも１つの推進管Ａｉ＋１の内周面に係合される第２係合手段３と、推進管内部に配置されると共にそれらの係合手段２，３に連結されていて、これらの係合手段２，３を推進管Ａｉ，Ａｉ＋１の軸心Ｂに沿って相対移動するように（例えば、図２に示すように、離間するように）駆動する駆動手段４と、を備えている。本発明によれば、比較的簡単な構成でありながら、既設推進管Ａｉ又はＡｉ＋１を効率良く縁切り及び／又は撤去することができる。上述した特許文献４の装置の場合、作業箇所だけでなく、立抗には牽引ジャッキが配置され、立抗から作業箇所まではＰＣ鋼棒が配置されていて、推進管の管径が小さい場合にはそれらが邪魔となって作業者が推進管内部に入ることができなかったが、本発明によれば、撤去装置１は作業箇所だけに配置することができるため、作業中でも作業者が推進管内部に入っていって、その作業の様子を目視で直接確認することができる。また、特許文献４の装置で複数箇所の縁切りを行おうとした場合、牽引ジャッキとＰＣ鋼棒とは各縁切り作業に共通して使用されるものであるため、複数の係合部材を縁切り作業箇所の推進管内壁にそれぞれ固定し、１つの縁切り作業が終了する度に、作業者が推進管の中に入って行ってＰＣ鋼棒を付け替えるという作業が必要であったが、本発明によれば、作業箇所毎に駆動手段４がそれぞれ配置されていて、駆動手段４を共通して使用する必要が無く、複数の撤去装置１を作業箇所にそれぞれ配置するだけの作業で足り、１つの作業が終了する度に推進管の内部に入って行く必要は無く、その分、作業が簡単になるという効果を奏する。なお、本発明に係る既設推進管撤去装置１は、駆動手段４の駆動ストロークを短くして推進管の縁切りだけを行うようにした装置、該駆動ストロークを長くして推進管の引抜きを行えるようにした装置の両方を含むものである。
【００２５】
上述した駆動手段４を、前記第１係合手段２と前記第２係合手段３との間に配置して、それらの係合手段２，３を互いに離間する方向に駆動するようにすると良い。その場合、前記駆動手段４は、前記第１係合手段２と前記第２係合手段３との間に配置されているため、推進管列の開口部から入って来た作業者は、前記駆動手段４に妨げられることなく係合手段２又は３に近づいて作業を詳細に観察することができる。
【００２６】
この場合、図５に示すように、推進管列Ａの一端開口を閉塞するように隔壁７を配置し、この隔壁７には、地盤側に固定された少なくとも１本の長尺状の部材Ｃを係止して、前記駆動手段４を駆動したときの反力を前記隔壁７及び前記長尺状の部材Ｃにて取らせるようにすると良い。これにより、所定の推進管を確実に移動させることができる。なお、図５では、長尺状の部材Ｃの地盤側への固定は、推進管列Ａの他端開口に対向する位置に配置したアンカープレート８０等を介して行っているが、もちろんこれに限られるものではない。また、隔壁７等で反力を取らないようにしても良く、その場合には、地盤との接着力が弱い方の推進管Ａｉ又はＡｉ＋１が軸心Ｂに沿って移動されることとなる。
【００２７】
図１及び図２に示す第１係合手段２は、推進管Ａｉの内壁に対向する位置で、該内壁に接離自在となるように支持された複数の板状部材２０，…と、これら複数の板状部材２０，…を前記内壁に押圧する押圧手段２１，…と、により構成されており、第２係合手段３も同様で、推進管Ａｉ＋１の内壁に対向する位置で、該内壁に接離自在となるように支持された複数の板状部材３０，…と、これら複数の板状部材３０，…を前記内壁に押圧する押圧手段３１，…と、により構成されているが、他の構造としても良い。例えば、推進管の内壁に対向するように配置された板状部材と、該板状部材を前記内壁に固着するための固着手段（例えば、メカニカルアンカーや樹脂系アンカーなどのアンカーボルト）と、により構成しても良い。なお、第１係合手段２を図１及び図２に示す構成とする場合、各板状部材２０，…は推進管内壁からの抗力を受けるので、板状部材２０，…を複数、しかも、それらの抗力が相殺されるような位置に配置すると良い（例えば、図３参照）。第２係合手段３についても同様である。
【００２８】
ところで、駆動手段４としては、油圧ジャッキや他の手段を用いると良い。
【００２９】
図１及び図２では、第１係合手段２は１つの推進管Ａｉのみに係合されているが、複数の推進管（例えば、図５に示す２つの推進管Ａｉ及びＡｉ−１）に係合されるようにしても良い。第２係合手段３も同様であって、複数の推進管（例えば、図５に示す２つの推進管Ａｉ＋１及びＡｉ＋２）に係合されるようにしても良い。また、図１等では、互いに隣接される推進管Ａｉ及びＡｉ＋１に各係合手段２，３が係合されているが、隣接されておらずに多少離れた位置に配置されている推進管に各係合手段２，３を係合させても良い。
【００３０】
次に、本発明に係る既設推進管撤去工法について説明する。
【００３１】
本発明に係る既設推進管撤去工法は、複数の推進管Ａ１，…，Ａｉ，…が直列に接続されて構成された推進管列であって地盤中に敷設されているものを撤去する工法であって、撤去すべき前記推進管列の両側の少なくとも一方の側に立坑（図５の符号Ｇ参照）を構築し、少なくとも１つの推進管Ａｉに第１係合手段２を係合させ、該第１係合手段２が係合された推進管以外の少なくとも１つの推進管Ａｉ＋１に第２係合手段３を係合させ、これらの係合手段２，３を、これらの係合手段２，３の間に配置した駆動手段４により推進管の軸心Ｂに沿って相対移動させて、前記第１係合手段２又は前記第２係合手段３の係合された推進管Ａｉ又はＡｉ＋１と周囲地山との間の縁切りを行い、前記推進管列につき所定箇所の縁切りが行われたところで、縁切りされた推進管を一体的に前記立抗Ｇの側に移動させ、該立抗側で、順次押し出されてくる推進管を取り外すようにした、ことを特徴とする。このような工法によれば、既設推進管Ａｉ，…を効率良く縁切りして、推進管列を撤去することができる。なお、前記縁切りされた推進管の前記立抗Ｇの側への一体的な移動は、該立抗Ｇの側からの牽引動作により行うようにすると良い。
【実施例１】
【００３２】
以下、本発明の一実施例について、図１〜図９を参照して説明する。
【００３３】
本実施例では図１〜３に示す既設推進管撤去装置１を作製した。すなわち、第１係合手段２は、本体フレーム２２と、該本体フレーム２２により上下左右に支持された４つのグリッパージャッキ２１，…と、推進管Ａｉの内壁に沿うように各グリッパージャッキ２１，…に支持された４枚の押圧板２０，…（図３参照）と、により構成した。なお、図３に示すように、下側の押圧板２０と左側の押圧板２０との間、及び下側の押圧板２０と右側の押圧板２０との間には、本体フレーム２２に支持されたキャスター２３，２３をそれぞれ配置し、推進管Ａ１，…，Ａｉ，…の内部を該係合手段２が軸心Ｂに沿って移動できるようにした。第２係合手段３も、第１係合手段２と同様の構造とした。
【００３４】
そして、図１に示すように、第１係合手段２における、第２係合手段３に対向する側には、推進管の内径よりも若干小さな外径の第１リングガータ２４を取り付けた。また、第２係合手段３における、第１係合手段２に対向する側には、同様の第２リングガータ３４を取り付けた。そして、これらのリングガータ２４，３４の間には、４つの縁切りジャッキ（駆動手段）４を、推進管Ａｉ，Ａｉ＋１の軸心Ｂに沿うように配置した。
【００３５】
さらに、推進管Ａｉ，Ａｉ＋１の内径より若干小さい外径で推進管Ａｉ，Ａｉ＋１の内壁に沿うと共に第２リングガータ３４の近傍にまで延設された略円筒状の部材（以下、第１円筒状部材とする）５１を第１リングガータ２４の外周面に取り付け、第１円筒状部材５１の内径よりも若干小さい外径で該第１円筒状部材５１の内壁に沿うと共に第１リングガータ２４の近傍にまで延設された略円筒状の部材(以下、第２円筒状部材とする)５２を第２リングガータ３４の外周面に取り付けた。
【００３６】
なお、第１リングガータ２４の近傍においては、第１円筒状部材５１と推進管Ａｉとの間の間隙を全周に亘ってシールする環状のチューブパッカー（以下、第１チューブパッカーとする）５３を第１円筒状部材５１に取り付けて配置し、第２リングガータ３４と推進管Ａｉ＋１との間の間隙を全周に亘ってシールする環状のチューブパッカー（以下、第２チューブパッカーとする）５４を第２リングガータ３４に取り付けて配置した。また、第２円筒状部材５２の先端部の外周面全周には、第１円筒状部材５１との間の隙間を閉塞する環状シール部材（図２の符号５５参照）を貼着した。さらに、第１円筒状部材５１の一部には、これらの円筒状部材５１，５２と推進管Ａｉ，Ａｉ＋１との間隙に安定材を注入するための注入孔（図２の符号５１ａ参照）を形成し、該注入孔５１ａには、図７に示すように安定材注入管９０を接続しておいて、推進管Ａｉ，Ａｉ＋１の隙間ＧＰが大きくなるに従って、立抗Ｇの側から安定材（例えば、高粘度の泥水等）を注入できるようにした。その場合、注入された安定材の推進管内への漏れは、上述したチューブパッカー５３，５４や環状シール部材５５により防止されることとなる。
【００３７】
次に、上述した既設推進管撤去装置１を用いて推進管を撤去する工法について説明する。
【００３８】
既設の推進管を撤去するには、撤去すべき推進管列Ａの両端部に立抗（図４には一方の立抗Ｇのみを示す）を構築し、一方の立抗Ｇから既設推進管撤去装置１をクレーンで推進管開口部にまで下ろし、吊り下げた状態で推進管内部に挿入する。
【００３９】
次に、図４に示すように、既設推進管撤去装置１の奥側（図示右側）には、電動ウィンチ６０を連結したワイヤ６１の一端を取り付け、推進管列Ａの他端開口部を閉塞するように隔壁７を配置すると共に、該隔壁７にワイヤ６１の他端を取り付けた。そして、電動ウィンチ６０を駆動して、撤去装置１を推進管列Ａの奥へ移動させた。なお、図では、１つの撤去装置１のみが示されているが、必要に応じて、複数の撤去装置１を配置した。
【００４０】
このような撤去装置１の配備と相前後させて、立抗Ｇには、推進管列の開口部に対向する位置にアンカープレート８０を配置しておき、該アンカープレート８０は、推進管列Ａの軸心方向Ｂに移動自在となるように構成しておく。また、この推進管列の開口端部を囲むように支圧壁８１を配置しておき、アンカープレート８０と支圧壁８１との間には複数の牽引ジャッキ８２，…を介装しておく。さらに、図５に示すように、推進管列を挟んで相対向した状態に配置されている隔壁７とアンカープレート８０とは複数のＰＣ鋼棒Ｃにて連結した。なお、符号Ｄは、ＰＣ鋼棒Ｃと隔壁７及びアンカープレート８０との連結に用いたカプラーを示す。さらに、図６に示すように、撤去装置１の安定材注入孔（図２及び図６の符号５１ａ参照）には安定材注入管９０を接続し、隔壁７には埋め戻し材注入管９１を接続した。なお、この隔壁７の側（図示右側）にはもう一つの立抗（不図示）が構築されているが、その立抗側のトンネル開口は仕切り板（不図示）にて閉塞して、該仕切り板と前記隔壁７とで密閉空間が形成されるようにした。一方、上述したグリッパージャッキ２１，３１や縁切りジャッキ４には油圧ホース（不図示）を接続し、各チューブパッカー５３，５４にはエアホース（不図示）を接続した。
【００４１】
次に、全てのグリッパージャッキ２１，３１を駆動し、押圧板２０，３０を推進管内壁に付勢させた。その状態で、エアホースからエアを供給してチューブパッカー５３，５４を膨らませ、円筒状部材５１，５２と推進管Ａｉ，Ａｉ＋１との間のシールを行った。次に、これらのチューブパッカー５３，５４と円筒状部材５１，５２と推進管Ａｉ，Ａｉ＋１とにより形成される密閉空間には、安定材注入管９０から安定材を注入した（図７の符号Ｅ参照）。
【００４２】
この状態で縁切りジャッキ４を作動させるが、前記隔壁７はアンカープレート８０及びＰＣ鋼棒Ｃによって図示右方向への移動が禁止されているので、第２係合手段３の側は移動せず、第１係合手段２の方が推進管Ａｉと共に移動し（図８の矢印Ｆ１参照）、該推進管Ａｉと周囲地山との間の縁切りがなされた。このような縁切り作業を、複数配置している全ての撤去装置に対して行った。
【００４３】
このようにして複数箇所の推進管の縁切りを完了させると、立抗側の牽引ジャッキ８２を作動させた。これにより、ジャッキ８２の駆動力（図９の符号Ｆ２参照）は、アンカープレート８０、ＰＣ鋼棒Ｃ及び隔壁７を介して推進管列の他端に伝えられ、牽引ジャッキ８２のストロークの分だけ、推進管の全体が隔壁７と共に移動され（同図の符号Ｆ３参照）、最前端の推進管（図９においては符号Ａｉ−１で示される推進管）は立抗内に引き出されることとなる。この状態で、ＰＣ鋼棒Ｃの連結を一旦解き、立抗内に突出している推進管Ａｉ−１を立抗経由で地上に搬出し、再び、上述のようにＰＣ鋼棒Ｃにてアンカープレート８０と隔壁７とを連結し、牽引ジャッキ８２を作動させて、推進管列Ａの１ストローク分の引抜きを行った。このような作業を繰り返して行うことにより、全ての推進管を地上に搬出した。なお、隔壁７の移動に伴って該隔壁７の右側の空隙が大きくなるが、該空隙には埋め戻し材注入管９１により埋め戻し材を注入した。
【図面の簡単な説明】
【００４４】
【図１】図１は、本発明に係る既設推進管撤去装置の全体構成の一例を示す縦断面図である。
【図２】図２は、本発明に係る既設推進管撤去装置が駆動されたときの状態の一例を示す縦断面図である。
【図３】図３は、本発明に係る既設推進管撤去装置の構造の一例を示す横断面図である。
【図４】図４は、図１に示す既設推進管撤去装置を推進管列内にセットする様子を説明するための縦断面図である。
【図５】図５は、牽引ジャッキやＰＣ鋼棒がセットされた状態の一例を示す縦断面図である。
【図６】図６は、安定材注入管や埋め戻し材注入管がセットされた状態の一例を示す縦断面図である。
【図７】図７は、安定材注入管や埋め戻し材注入管がセットされた状態の一例を示す縦断面図である。
【図８】図８は、推進管の縁切り作業の一例を示す縦断面図である。
【図９】図９は、推進管の牽引作業の一例を示す縦断面図である。
【符号の説明】
【００４５】
１              既設推進管撤去装置
２              第１係合手段
３              第２係合手段
４              縁切りジャッキ（駆動手段）
Ａ              推進管列
Ａｉ，Ａｉ＋１      推進管
Ｃ              ＰＣ鋼棒（長尺状の部材）
Ｇ              立坑
【図１】
2006169795.tif 000003
【図２】
2006169795.tif 000004
【図３】
2006169795.tif 000005
【図４】
2006169795.tif 000006
【図５】
2006169795.tif 000007
【図６】
2006169795.tif 000008
【図７】
2006169795.tif 000009
【図８】
2006169795.tif 000010
【図９】
2006169795.tif 000011